(57)【特許請求の範囲】
【請求項１】
ベッドフレームの長手方向端部に設けられるボード体において、
上記ボード体は、幅方向両端部に、この幅方向と交差する方向の下端面に開口した収納部が設けられ、この収納部には脚部材が出し入れ可能かつ所定寸法突出した状態で保持可能に設けられていて、
上記ボード体は、一対の脚部材を収納部から所定寸法突出させ、その突出端部を上記ベッドフレームの長手方向の端部上面に開口形成された嵌合孔に着脱可能に支持される状態と、一対の脚部材を上記収納部に挿入し上記ベッドフレームの両側に設けられた一対の側柵に一方の面の幅方向両端部に形成された係合部を係合させて幅方向の移動が規制されて掛け渡される状態とで使用可能であることを特徴とするベッド装置のボード体。
【請求項２】
上記脚部材の外周面には、上下方向に沿うとともに上端と下端とに周方向に沿って屈曲した屈曲部を有するガイド溝が形成され、上記収納部には上記ガイド溝に係合し上端部と下端部とにおいて上記屈曲部に係合することで上記脚部材の移動を阻止する係合部材が設けられていることを特徴とする請求項１記載のベッド装置のボード体。
【発明の詳細な説明】
【０００１】
【発明の属する技術分野】
この発明はベッド装置の長手方向の端部に設けられるボード体に関する。
【０００２】
【従来の技術】
病人や老人などのように自力で起き上がることができない利用者には、床板の一部を起伏駆動することができるようにした、いわゆる起床式のベッド装置が利用されている。起床式のベッド装置は、ベッドフレームを有し、このベッドフレームには床板体が設けられている。上記ベッドフレームの長手方向の両端部にはボード体が立設されている。ボード体の一方はヘッドボード、他方はフットボードである。
【０００３】
床板体は複数の床部に分割されていて、そのうちの少なくとも利用者の上半身に対応する部分の背床部は上記ベッドフレームに固定された固定床部に枢着されている。床板体の下面側には背上げ機構が設けられ、この背上げ機構によって上記背床部を起上方向に駆動できるようになっている。
【０００４】
【発明が解決しようとする課題】
ところで、利用者がベッド装置上で上半身を起こして食事などをする場合、ベッド装置の両側に設けられた側柵間にテーブル板を掛け渡すようにしている。その場合、テーブル板をベッド装置とは別に用意しなければならないから、利用者にとって不便であるばかりか、不使用時にはそのテーブル板を格納するスペースが必要になるということもある。
【０００５】
この発明は、ベッド装置のボード体をテーブル板として利用することができるようにしたベッド装置のボード体を提供することにある。
【０００６】
【課題を解決するための手段】
請求項１の発明は、ベッドフレームの長手方向端部に設けられるボード体において、
上記ボード体は、幅方向両端部に、この幅方向と交差する方向の下端面に開口した収納部が設けられ、この収納部には脚部材が出し入れ可能かつ所定寸法突出した状態で保持可能に設けられていて、
上記ボード体は、一対の脚部材を収納部から所定寸法突出させ、その突出端部を上記ベッドフレームの長手方向の端部上面に開口形成された嵌合孔に着脱可能に支持される状態と、一対の脚部材を上記収納部に挿入し上記ベッドフレームの両側に設けられた一対の側柵に一方の面の幅方向両端部に形成された係合部を係合させて幅方向の移動が規制されて掛け渡される状態とで使用可能であることを特徴とするベッド装置のボード体にある。
【０００７】
請求項２の発明は、上記脚部材の外周面には、上下方向に沿うとともに上端と下端とに周方向に沿って屈曲した屈曲部を有するガイド溝が形成され、上記収納部には上記ガイド溝に係合し上端部と下端部とにおいて上記屈曲部に係合することで上記脚部材の移動を阻止する係合部材が設けられていることを特徴とする請求項１記載のベッド装置のボード体にある。
【０００８】
この発明によれば、ボード体をベッド装置の長手方向の端部に支持した状態と、ベッド装置の両側に設けられた側柵に掛け渡した状態とで使用することができる。
【０００９】
【発明の実施の形態】
以下、この発明の一実施の形態を図１乃至図８を参照しながら説明する。
【００１０】
図１と図２は起床式のベッド装置を示し、このベッド装置はベッドフレーム１を有する。このベッドフレーム１は長手方向の一端部と他端部との下面の幅方向両端部にベッドフレーム１を走行移動させるストッパ付きキャスタ２が設けられている。
【００１１】
上記ベッドフレーム１の長手方向一端にはヘッドボード３が立設され、他端にはこの発明のボード体としてのフットボード４が立設される。さらに、ベッドフレーム１の幅方向両側にはそれぞれ側柵５が立位状態で着脱可能に設けられている。
【００１２】
上記ベッドフレーム１の上面には床板体６が設けられている。この床板体６はベッドフレーム１に固定された固定床部７ａと、この固定床部７ａのヘッドボード３側の一側に回動可能に連結された背床部７ｂと、フットボード４側の他側に回動可能に連結された脚床部７ｃとに分割されている。
【００１３】
床板体６の下面側には図示しない背上げ機構が設けられ、この背上げ機構によって上記背床部７ｂと脚床部７ｃとを起上方向に駆動することができるようになっている。それによって、上記床板体６上に図示しないマットレスを介して仰臥した利用者は、上記背床部７ｂによって上半身を起こすことができるようになっている。
【００１４】
上記フットボード４は、図１に示すようにベッドフレーム１とほぼ同じ幅寸法を有する板状をなしていて、ベッドフレーム１に後述するごとく立設された状態における外側面にはその板面のほぼ全体にわたる凹状の載置部８が形成されている。
【００１５】
フットボード４の内側面には、図３及び図８に示すように幅方向両端部に上下方向に沿う係合部としての断面形状が台形状の凸部９が形成され、一対の凸部９間には幅方向に沿う凹溝１０が上下方向に所定間隔で形成されている。
【００１６】
さらに、フットボード４の上部の幅方向両端部には一対の手掛け孔１１が形成され、上記凸部９の幅方向内方の側面にはそれぞれ一対のシート状の滑り止め部材１２が設けられている。
【００１７】
図５（ａ）、（ｂ）に示すように、上記フットボード４の幅方向両端部には、上下方向に沿う装着孔１５がフットボード４の下端面に開口して形成されている。この装着孔１５には収納部を形成する案内筒１６が装着されている。この案内筒１６の上端部内面にはナット１７が固着され、このナット１７にはフットボード４の一側外面から止めねじ１８が螺合されている。それによって、案内筒１６は装着孔１５内に抜出不能に保持されている。
【００１８】
上記案内筒１６には円筒状の脚部材２１がスライド可能に挿入されている。この脚部材２１の下端にはナット２２が設けられ、このナット２２には摘み２３が取付けられ，この摘み２３を持って脚部材２１を回転させることができるようになっている。
【００１９】
上記脚部材２１の周壁には上下方向に沿ってガイド溝２４が形成されている。
このガイド溝２３は、直線部２４ｃの上端部と下端部とに周方向に沿って屈曲した上屈曲部２４ａと下屈曲部２４ｂとが連続形成されている。
【００２０】
上記ガイド溝２４には係合部材としての係合用ねじ２５が係合している。この係合用ねじ２５は上記フットボード４に埋設されたナット２６に螺合され、先端部が上記案内筒１２の周壁を貫通して上記ガイド溝２３に係合している。
【００２１】
図５（ａ）は上記係合用ねじ２５をガイド溝２４の上屈曲部２４ａに係合させた状態で、この状態では上記脚部材２１の下端部が案内筒１６、つまりフットボード４の下端面から所定寸法突出した状態で移動不能に保持される。
【００２２】
フットボード４は、脚部材２１の下端部をその下端面から突出させた状態で、その突出部分をベッドフレーム１の長手方向の端部上面に開口形成された支持部としての嵌合孔２７（図２及び図５（ａ）に示す）に挿入することで、図１に示すように載置部８が形成された側面を外側に向けて立位状態で着脱可能に支持される。
【００２３】
図５（ｂ）に示すように、脚部材２１の下端部がフットボード４の下端面から突出した状態から案内筒１６内に挿入するには、この脚部材２１を周方向に回転させて係合用ねじ２５をガイド溝２４の上屈曲部２４ａから外し、直線部２４ｃに沿ってその下端に当接するまで上昇させる。ついで、周方向に回転させることで、上記係合用ねじ２５を下部屈曲部２４ｂに係合させれば、図６に示すように脚部材２１は案内筒１６内に挿入された状態で保持されることになる。
【００２４】
このような構成の起床式ベッド装置においては、図１に示すように、フットボード４はベッドフレーム１の長手方向の端部に立位状態で保持されている。
【００２５】
一方、図２に示すように床板体６の背床部７ｂを起上させて利用者が上半身を起こして食事などをする場合には、一対の手掛け孔１１に手を掛けてフットボード４を上昇させ、ベッドフレーム１から取り外す。
【００２６】
そして、フットボード４の下端面から突出した脚部材２１を案内筒１６内に挿入するとともに、載置部８が形成された一方の側面を上にし、他方の側面に形成された一対の凸部９の内側に側柵５の上端を係合させることで、フットボード４を一対の側柵５間に架設する。それによって、床板体６上で上半身を起こした利用者は、フットボード４の載置部８が形成された側面をテーブル面として利用することができる。
【００２７】
一対の側柵５に架設されたフットボード４は、その下面に形成された一対の凸部９の内側が側柵５の上端に係合しているから、側柵５上で幅方向にずれ動くのが阻止される。しかも、凸部９の内方には滑り止め部材１２が設けられているから、フットボード４が側柵５上で幅方向と交差する前後方向にずれ動くのも規制される。したがって、利用者はフットボード４をテーブルとして安定した状態で利用することができる。
【００２８】
すなわち、ベッドフレーム１の長手方向の端部に立設されたフットボード４をテーブルとして利用できるようにしたから、専用のテーブル板を用意しておく必要がないばかりか、テーブルとして利用しない場合には、フットボード４としてベッドフレーム１に設けられるから、専用のテーブル板を用いる場合のように邪魔になったり、収納場所を確保しなければならないなどのことがない。
【００２９】
図９はこの発明の他の実施の形態を示す。この実施の形態は、合成樹脂をブロー成形して形成されたフットボード４Ａであって、その場合、フットボード４Ａは中空状に形成されるから、案内筒１６はその中空部３１内に設けられる。
【００３０】
案内筒１６を中空部３１内に設けるには、この案内筒１６の上端部外面にナット３２を固着し、このナット３２にフットボード４Ａの側面から止めねじ３３を螺合する。
【００３１】
フットボード４Ａの外面の凸部９の部分には上記止めねじ３３の頭部３３ａが入り込む凹部３４が形成され、また頭部３３ａには樹脂キャップ３５が被着されて外観の向上が図られている。なお、フットボード４Ａの他の部分の構造は上記一実施の形態と同じである。
【００３２】
【発明の効果】
以上のようにこの発明によれば、ボード体を、ベッド装置の長手方向の端部に立位状態で支持した状態と、ベッド装置の両側に設けられる側柵に掛け渡した状態とで使用することができる。
【００３３】
つまり、ボード体をベッド装置用のテーブルとして利用することができるから、専用のテーブル板を必要としないばかりか、テーブルとして利用しないときにはボード体として使用されるため、邪魔になるようなこともない。
【図面の簡単な説明】
【図１】この発明の一実施の形態を示すボード体をフットボードとして利用した状態の斜視図。
【図２】ボード体をテーブルとして利用した場合の斜視図。
【図３】脚部材をボード体の下端面から突出させた状態を示すボード体の正面図。
【図４】脚部材を案内筒内に収納した状態を示すボード体の正面図。
【図５】脚部材をボード体の下端面から突出させた状態を示す部分的断面図。
【図６】ボード体の脚部材を案内筒内に収納した状態を示す部分的断面図。
【図７】案内筒及び脚部材の斜視図。
【図８】ボード体を側柵に掛け渡した状態の側面図。
【図９】この発明の他の実施の形態を示すブロー成形されたボード体を側柵に掛け渡した状態の部分的断面図。
【符号の説明】
１…ベッドフレーム
４…フットボード（ボード体）
５…側柵
９…凸部（係合部）
１６…案内筒（収納部）
２１…脚部材
２４…ガイド溝
２５…係合用ねじ（係合部材）
２７…嵌合孔（支持部）
【図１】
0003715877.tif 000002
【図２】
0003715877.tif 000003
【図３】
0003715877.tif 000004
【図４】
0003715877.tif 000005
【図５】
0003715877.tif 000006
【図６】
0003715877.tif 000007
【図７】
0003715877.tif 000008
【図８】
0003715877.tif 000009
【図９】
0003715877.tif 000010